(57)【要約】【課題】  サンドイッチなどの固形の食品を収容するための食品用包装袋を大きく開くことができるようにする。【解決手段】一対のプラスチックフィルムシート１０、１を重ね合わせ、各シートの先端所定範囲をタブ４Ａ、４Ｂとして残した状態で両側辺を横断する線に沿って各シート同士を接着した頂部封止部２Ａ、２Ｂと、頂部封止部より後方の各シートの両側辺同士を接着した側面封止部により３方を封止した袋体を構成し、下端を残して上方を半島状に切り込んだ舌片により上方に一定の面積を持った摘み部Ｓを一方のシートのタブ部分に設けるとともに、一端が頂部封止部を越えて摘み部に達するカットテープ６を上記シートの裏面に接着した食品用包装袋において、摘み部の両端の切り込みのそれぞれの左右方向にシートの左右への引き裂きのきっかけを与えるために傷加工７を配する。【選択図】  図１
2020070084.tif 000002
【特許請求の範囲】
【請求項１】
一対のプラスチックフィルムシートを重ね合わせ、各シートの先端所定範囲をタブとして残した状態で両側辺を横断する線に沿って各シート同士を接着した頂部封止部と、頂部封止部より後方の各シートの両側辺同士を接着した側面封止部により３方を封止した袋体を構成し、下端を残して上方を半島状に切り込んだ舌片により上方に一定の面積を持った摘み部を一方のシートのタブ部分に設けるとともに、一端が頂部封止部を越えて摘み部に達するカットテープを上記シートの裏面に接着した食品用包装袋において、上記の摘み部の両端の切り込みのそれぞれの左右方向にシートの左右への引き裂きのきっかけを与えるために傷加工を配したことを特徴とする食品用包装袋。
【請求項２】
傷加工は０. ２〜１ｍｍの微細な傷をシートの左右へ連続させたものを前後方向に３〜５列千鳥状に配することにより行われる請求項１記載の食品用包装袋。
【請求項３】
傷加工はシートの左右方向を横断するように施される請求項１または２記載の食品用包装袋。
【請求項４】
傷加工は摘み部の両端の切り込みのそれぞれの左右方向に部分的に施される請求項１記載の食品用包装袋。
【請求項５】
摘み部は倒立Ｕ宇形の半島状に切り込んだ形状に形成される請求項１から４のいずれかに記載の食品用包装袋。  
【請求項６】
摘み部は倒立Ｕ宇形の半島状にして両端に先端が鋭角を構成する山状の張り出しを設けた形状に形成され、傷加工は上記の山状の張り出しの鋭角を構成する箇所に配される請求項１から４のいずれかに記載の食品用包装袋。  
【発明の詳細な説明】
【技術分野】
【０００１】
本願発明は、例えば三角形のサンドイッチなどの固形の食品を収容するための食品用包装袋に関する。
【背景技術】
【０００２】
プラスチックフィルム製の一対のシートを重ね合わせ、三方を封止した袋体を構成し、上記袋体内にサンドイッチなどの固形の食品を挿入して包装するための食品用包装袋が公知である。
【０００３】
三角形のサンドイッチを想定した包装袋として、両側辺が先端に向かって幅狭となるプラスチックフィルム製の一対のシートを重ね合わせ、三方を溶着等の接着手段により封止した袋体を立体的に拡げることにより構成されるものが広く使用されている。この場合、袋体を構成する封止箇所はシートの先端所定範囲をタブとして残すとともに後端を開口として残した状態で設けられるものであり、具体的には両側辺を横断する線に沿って各シート同士を接着した頂部封止部と頂部封止部より後方の各シートの両側辺同士を接着した側面封止部に求められる。
【０００４】
この包装袋においては内部にサンドイッチを収容後、食品後端から袋体後端の開口部にかけた袋体の余剰部を折り畳んで粘着テープ等により封止して、包装済みサンドイッチとして流通に供する。よって、このサンドイッチを購入した需要者においては包装を外して収容された食品を取り出さなければならないが、食品後端の封止部を開くのは面倒なので、袋体自体を引き裂き破壊して食品を取り出していた。しかしながら、そのままでは何の手がかりも無く袋体を引き裂くことは困難であるので、従来多数の易開封手段が提案されていた。
【０００５】
前記の易開封手段の代表的なものとして、一対のプラスチックフィルムシートを重ね合わせ、各シートの先端所定範囲をタブとして残した状態で両側辺を横断する線に沿って各シート同士を接着した頂部封止部と、頂部封止部より後方の各シートの両側辺同士を接着した側面封止部により３方を封止した袋体を構成し、下端を残して上方を半島状に切り込んだ舌片により上方に一定の面積を持った摘み部を一方のシートのタブ部分に設けるとともに、一端が頂部封止部を越えて摘み部に達するカットテープを上記シートの裏面に接着した食品用包装袋が公知である（例えば特許文献１）。
【先行技術文献】
【特許文献】
【０００６】
【特許文献１】特開２０１７−０４７９４０
【発明の開示】
【発明が解決しようとする課題】
【０００７】
前記の従来技術においては、タブ部分に設けた摘み部をカットテープごと指先で摘んで引っ張り上げることによりカットテープに沿って規定される方向、即ち袋体の斜面全長方向に沿ってシートが切り取られる作用を生じる。この場合、切り取りにより生じた窓部からサンドイッチを引き出すことが可能となる。
【０００８】
ところで、現実の需要者においてはそれだけでは足りず、切り取りにより生じた窓部を境として袋体を左右に広げてサンドイッチを取り出しやすくしようと試みることが多々ある。
【０００９】
しかしながら、袋体は重ね合わされたシート同士が頂部封止部を構成する接着線により強力に接着されており、切り取りにより生じた窓部により一方のシートが２分されたとしても、２分されたシートは依然重ね合わされたシートに接着されているので、２分されたシートを左右に引っ張っても接着部分に規制されてうまく広がらず、逆に不規則に引き裂かれることによりサンドイッチの端面からはみ出した内容物が手などに付着するおそれがあった。
【課題を解決するための手段】
【００１０】
本願発明は前記の問題を解消した食品用包装袋を提供することを目的として創作されたものである。
【００１１】
すなわち、本願発明は、一対のプラスチックフィルムシートを重ね合わせ、各シートの先端所定範囲をタブとして残した状態で両側辺を横断する線に沿って各シート同士を接着した頂部封止部と、頂部封止部より後方の各シートの両側辺同士を接着した側面封止部により３方を封止した袋体を構成し、下端を残して上方を半島状に切り込んだ舌片により上方に一定の面積を持った摘み部を一方のシートのタブ部分に設けるとともに、一端が頂部封止部を越えて摘み部に達するカットテープを上記シートの裏面に接着した食品用包装袋において、上記の摘み部の両端の切り込みのそれぞれの左右方向にシートの左右への引き裂きのきっかけを与えるために傷加工を配したことを特徴とする。  
【００１２】
また、請求項２記載の発明は前記の食品用包装袋において、傷加工はシートの左右方向を横断するように施されることを特徴とする。
【００１３】
また、請求項３記載の発明は前記の食品用包装袋において、傷加工は摘み部の両端の切り込みのそれぞれの左右方向に部分的に施されることを特徴とする。  
【００１４】
また、請求項４記載の発明は前記の食品用包装袋において、摘み部は倒立Ｕ宇形の半島状に切り込んだ形状に形成されることを特徴とする。  
【００１５】
また、請求項５記載の発明は前記の食品用包装袋において、摘み部は倒立Ｕ宇形の半島状にして両端に先端が鋭角を構成する山状の張り出しを設けた形状に形成され、傷加工は上記の山状の張り出しの鋭角を構成する箇所に配されることを特徴とする。  
【００１６】
なお、本願発明において「傷加工」とは例えば特許第６３１８６００号や特許第３８１７６９５号でも使用されているように、シートの表面に複数の微細な傷をつけることにより、この部分のシートを切れやすくする加工を指す。
【発明の効果】
【００１７】
本願発明によれば、タブ部分に設けた摘み部をカツトテープごと指先で摘んで引っ張り上げることにより一方のシートの摘み部はシートから取り去られ、シートに摘み部の形状に沿った切り取り部が残る。そして、この場合、切り取り部は左右両端に傷加工が存する。
【００１８】
よって、切り取りにより生じた窓部を境として袋体の一方のシートを左右に引っ張れば、傷加工がタブ部分に残った切り取り部の左右両端に存するので、これが引き裂きのきっかけとなってシートは頂部封止用接着線に沿って引き裂かれ容易に左右に開くことができ、広い開口部が出現することとなる（図５、６参照）。
【００１９】
この場合、切り取り部は３方を封止した袋体ではなく、袋体の外のタブ部分に設けられるので、袋体の密閉性を損なうことない。よって、異物の混入や食品の劣化の心配なく、広い開口部を得られる包装入り食品を実現できる。
【００２０】
また、前記の切り取りは傷加工によりごく自然に実現されるので、需要者においてシートを千切るという抵抗感がない。
【図面の簡単な説明】
【００２１】
【図１】本願発明の食品用包装袋の展開状態の分解斜視図。
【図２】本願発明の食品用包装袋の包装状態の斜視図。
【図３】本願発明の食品用包装袋の開封過程の斜視図。
【図４】本願発明の食品用包装袋の要部の正面図。
【図５】本願発明の食品用包装袋の開封過程の斜視図。
【図６】本願発明の食品用包装袋の開封過程の斜視図。
【図７】本願発明の食品用包装袋の第２実施例の要部の正面図。
【図８】本願発明の食品用包装袋の第３実施例の要部の正面図。
【図９】本願発明の食品用包装袋の第４実施例の要部の正面図。
【発明を実施するための最良の形態】
【００２２】
以下、本願発明の具体的実施例を添付図面に基づいて説明する。図１〜図３は本願発明の食品用包装袋を示す図である。ここでは、包装する食品として三角形のサンドイッチを想定した食品用包装袋を例にとり説明することとする。すなわち、この包装袋は両側辺が先端に向かって幅狭となるプラスチックフィルム製の一対のシートを重ね合わせ、各シートの先端所定範囲をタブ部分として残した状態で、両側辺を横断する預部封止用接着線により各シート同士を接着した頂部封止部と、頂部封止部より後方の各シートの両側辺同士を接着した側面封止部により三方を封止して袋体とする。
【００２３】
前記の袋体においては、袋体内に三角形のサンドイッチを挿入することにより、対向する一対の斜面の厚みが頂部封止部の幅により規定される板状の三角形に袋体が立体的に拡げられる。この場合、サンドイッチの取り出しのための袋体の切り裂き手段として、カットテープをその一端が頂部封止用接着線を越えてタブ部分に設けた摘み部に達するように何れかのシートの裏側に接着している。この袋体においては、タブ部分に設けた摘み部をカツトテープごと指先で摘んで引っ張り上げることによりカットテープに沿って規定される方向、即ち袋体の斜面全長方向に沿ってシートが切り取られる作用を生じる。
【００２４】
この袋体はプラスチックフィルム製の一対のシート１０、１と、シート１０の裏面（袋の内面側）に接着されるカットテープ６を有する。なお、この実施例ではそこに挿入されたサンドイッチの裏側の具材が露出する端面に接すべき汚れ防止のためのプラスチックフィルム製の帯状片５を設けている。一対のシート１０、１は両側辺が先端に向かって幅狭となる台形又は台形類似の形状に構成され、三方を封止して袋体とした後、この袋体が立体的に拡げられる。
【００２５】
この場合、袋体を構成するにあたりシートの先端所定範囲が袋部分を構成しないタブ部分４Ａ、４Ｂとして残されるとともに、シートの後端が食品を差し入れるための開口として残される。具体的には、タブ部分４Ａ、４Ｂの開始地点においてシートの両側辺を横断する線に沿って各シート同士を接着する頂部封止用接着線２Ａ、２Ｂが設けられるとともにこの頂部封止部より後方の各シートの両側辺同士を接着した側面封止部３Ａ、３Ｂが設けられることにより袋体の三方の封止部とされる。そして、折れ目Ａ１、Ａ１及びＢ１、Ｂ１をもって対向する一対の斜面Ａ及びＢの厚みが頂部封止部２Ａ、２Ｂの幅により規定され、側面Ｃ、Ｃが三角形をなす板状の三角形にこの袋体を拡げることによって袋体の基本形が完成する。なお、ここでは接着手段としてヒートシールを採用する。
【００２６】
上記の製袋工程において、カットテープ６が一方のシート１０の裏面に接着される。このカットテープ６はその一端が頂部封止用接着線２Ａ、２Ｂを越えてタブ部分４Ａ、４Ｂに設けた切り込みによる摘み部Ｓに達するように配される。上記の摘み部Ｓは、下端を残して上方を半島状に切り込んだ舌片により上方に一定の面積を持ったものであり、ここではシート１Ａを倒立Ｕ宇状に切り込むことにより得ている。
【００２７】
前記の摘み部Ｓの両端の切り込みのそれぞれの左右方向にシート１０の左右への引き裂きのきっかけを与えるための傷加工７が配される。
【００２８】
前記の傷加工７はシートの表面に複数の微細な傷をつけることにより、この部分のシートを切れやすくする加工を指すものであり、ここでは傷加工は０. ２〜１ｍｍの微細な傷をシートの左右へ連続させたものを前後方向に３〜５列千鳥状に配することを想定しているが、複数の微細な傷をつけることにより、この部分のシートを切れやすくするものであればこれに限られないことをもちろんである。
【００２９】
前記の傷加工７はこの実施例ではシートの左右方向を横断するように施される。
【００３０】
以上の工程により基本形が完成した袋体にはサンドイツチが後部の開口から差し入れられた後、サンドイッチ後端から袋体後端の開口部にかけた袋体の余剰部を折り畳んで粘着テープ等により封止して包装が完了する。
【００３１】
以上の食品用包装袋の開封に当たっては、カツトテープ１０が接着されている側のシート１０のタブ４Ａの摘み部Ｓを摘んでめくりながら引っ張り上げることにより、これに接着されているカットテープも引っ張り上げられることによりシートはそのままカツトテープに沿って切り裂かれながら中央部分が切り取られることになる（図３参照）。
【００３２】
次いで、切り取りにより生じた窓部を境として袋体の一方のシート１０を左右に引っ張れば、傷加工７がタブ部分に残った摘み部Ｓの切り取り部の左右両端に存するので、これが引き裂きのきっかけとなってシートは頂部封止用接着線２Ａに沿って引き裂かれ容易に左右に開くことができ、広い開口部が出現することとなる（図５、６参照）。
【００３３】
図７は本願発明の第２実施例を示すものであり、ここでは傷加工７は摘み部Ｓの両端の切り込みのそれぞれの左右方向に部分的に施される。
【００３４】
図８は本願発明の第３実施例を示すものであり、ここでは摘み部Ｓは倒立Ｕ宇形の半島状にして両端に先端が鋭角を構成する山状の張り出しを設けた形状に形成される。傷加工７は上記の山状の張り出しの鋭角を構成する箇所に配され、ここではシート１０の左右方向を横断するように施される。
【００３５】
図９は本願発明の第４実施例を示すものであり、ここでは摘み部Ｓは倒立Ｕ宇形の半島状にして両端に先端が鋭角を構成する山状の張り出しを設けた形状に形成される。傷加工７は上記の山状の張り出しの鋭角を構成する箇所に配され、ここでは摘み部Ｓの両端の切り込みの山状の張り出しの鋭角を構成する箇所のそれぞれの左右方向に部分的に施される。
【符号の説明】
【００３６】
Ｓ      摘み部
１      シート
２Ａ    頂部封止用接着線
２Ｂ    頂部封止用接着線
４Ａ    タブ
４Ｂ    タブ
５      （汚れ防止のための）帯状片
６      カットテープ
７      傷加工
１０    シート
【図１】
2020070084.tif 000003
【図２】
2020070084.tif 000004
【図３】
2020070084.tif 000005
【図４】
2020070084.tif 000006
【図５】
2020070084.tif 000007
【図６】
2020070084.tif 000008
【図７】
2020070084.tif 000009
【図８】
2020070084.tif 000010
【図９】
2020070084.tif 000011